(57)【要約】【課題】長期間使用しても、酸素や湿気による表示機能の低下を十分に防止できる両面有機ＥＬディスプレイを提供する。【解決手段】両面有機ＥＬディスプレイ１内には、透明基板１０５、１０５とシール材１０４とにより密閉空間１Ｓが形成されている。この密閉空間１Ｓには不活性ガスが封入されている。そして、この密閉空間１Ｓにおいて、メインパネル２の透明基板１０５の背面１０５ａには吸収材２０が設けられている。この吸収材２０は、メインパネル２の表示部１０６を囲むように環状に形成されている。これにより、吸収材２０は、メインパネル２の表示部１０６およびサブパネル１０３の表示部１０７よりも外側で外周部を構成している。【選択図】図１
2007157687.tif 000002
【特許請求の範囲】
【請求項１】
双方の背面が対向して配置された一対の透明基板と、対向する前記双方の背面の周縁部を接着させて、前記一対の透明基板とで密閉空間を形成するシール材とを有し、前記密閉空間には不活性ガスが封入されているとともに、前記一対の透明基板には、対向する前記双方の背面の中央部分に、有機ＥＬ素子が用いられた表示部がそれぞれ設けられ、さらに、対向する前記双方の背面の少なくとも一方側には、酸素や湿気を吸収する吸収材が、双方の表示部よりも外側で外周部を構成するように設けられたことを特徴とする両面有機ＥＬディスプイレイ。
【請求項２】
双方の背面が対向して配置された一対の透明基板と、対向する前記双方の背面の周縁部を接着させて、前記一対の透明基板とで密閉空間を形成するシール材とを有し、前記密閉空間には不活性ガスが封入されているとともに、前記一対の透明基板には、対向する前記双方の背面の中央部分に、有機ＥＬ素子が用いられた表示部がそれぞれ設けられて、双方の表示部には、封止材がそれぞれ被覆されている一方、双方の封止材は、酸素や湿気を吸収するように構成されて、且つ、双方の封止材の間に隙間が開くように形成されたことを特徴とする両面有機ＥＬディスプイレイ。
【請求項３】
前記双方の封止材の少なくとも一方は、対応する前記表示部を覆う保護層と、この保護層を覆う吸収層とを備え、この吸収層が酸素や湿気を吸収するように構成されたことを特徴とする請求項２記載の両面有機ＥＬディスプイレイ。
【請求項４】
前記吸収材、または、前記双方の封止材の少なくとも一方は、酸素や湿気の吸収能力を有する１Ａ族金属、２Ａ族金属、金属酸化物の少なくとも一つを用いて構成されたことを特徴とする請求項１〜３のいずれか１項に記載の両面有機ＥＬディスプイレイ。
【発明の詳細な説明】
【技術分野】
【０００１】
本発明は、携帯電話等に使用される両面有機ＥＬディスプレイに関する。
【背景技術】
【０００２】
現在、有機ＥＬディスプレイは、携帯電話等に使用されている。この有機ＥＬディスプレイのディスプレイパネルは、透明基板と、この透明基板上に設けられた表示部とを中心にして構成されている。この表示部は、文字や画像を表示するものであり、表示素子として有機ＥＬ素子(有機発光ダイオード）が用いられている。この有機ＥＬ素子は、周知のように、有機層を陽極と陰極とで挟んだ簡単な構造であるため、ディスプレイの薄型化が可能になっている。
【０００３】
一方、折り畳み式携帯電話は、本体にヒンジを介して結合された上側カバー（フリップカバー）がディスプレイを構成しているが、最近の折り畳み式携帯電話の中には、このフリップカバーの両面にディスプレイパネルが設けられたものがある。
【０００４】
このような携帯電話においては、フリップカバーの裏面にメインパネル（ディスプレイパネル）が設けられている。このメインパネルは、各種操作画面、送受信メールの内容、撮影画像等の表示に用いられている。また、フリップカバーの表面には、メインパネルよりも小型のサブパネル（ディスプレイパネル）が設けられている。このサブパネルは、着信情報や時刻の表示に用いられている。
【０００５】
また、フリップカバーの両面にディスプレイパネルを設ける場合には、携帯電話全体の薄型化を図るために、フリップカバーの厚さが薄いほど良い。したがって最近では、両面のディスプレイパネルに有機ＥＬ素子を用いた両面有機ＥＬディスプレイが提案されている。
【０００６】
図７は、従来の両面有機ＥＬディスプレイ１０１の模式縦断面図である。このディスプレイ１０１は、一対のディスプレイパネル１０２，１０３と、シール材１０４とを備えている。
【０００７】
双方のディスプレイパネル１０２，１０３は、背面を向き合わせて配置されている。そして、メインパネル１０２は、ガラス基板等の透明基板１０５と、表示部１０６とを備えている。この表示部１０６は、透明基板１０５の背面１０５ａの中央部分に設けられており、表示素子として有機ＥＬ素子が用いられている。
【０００８】
また、サブパネル１０３は、透明基板１０５と、表示部１０７とを備えている。サブパネル１０３の透明基板１０５は、背面１０５ａが、メインパネル１０２の透明基板１０５の背面１０５ａと対向して配置されている。一方、表示部１０７は、透明基板１０５の背面１０５ａの中央部分に設けられている。また、この表示部１０７は、メインパネル１０２の表示部１０６よりも小型であり、表示素子として有機ＥＬ素子が用いられている。
【０００９】
また、シール材１０４は環状に形成されている。そして、このシール材１０４は、対向している双方の透明基板１０５、１０５の背面１０５ａ、１０５ａにおいて、周縁部１０５ｂ、１０５ｂを接着させている。これにより、ディスプレイ１０１内には、双方の透明基板１０５、１０５とシール材１０４とにより密閉空間１０１Ｓが形成されている。この密閉空間１０１Ｓには、不活性ガスが封入されている。この不活性ガスは、有機ＥＬ素子の劣化を防ぐためのものである。
【００１０】
そして、双方の表示部１０６、１０７は、不活性ガスで満たされた密閉空間１０１Ｓにあるので、表示部１０６、１０７を構成しているそれぞれの有機ＥＬ素子の有機層には、外部から酸素や湿気が接触することがない。したがって、このディスプレイ１０１は、有機ＥＬ素子の有機層に酸素や湿気が接触して生じる有機ＥＬ素子の発光能力の低下、すなわち、ディスプレイ１０１の表示機能の低下を防止している。
【００１１】
しかしながら、このようなディスプレイ１００は、長期間使用すると、シール材１０４が劣化する場合がある。この場合には、酸素と湿気がシール材１０４を通過して表示部１０６、１０７の有機ＥＬ素子に接触してしまう。これを防ぐために、図８や図９に示すような両面有機ＥＬディスプレイ２０１が提案されている（特許文献４参照）。
【００１２】
この両面有機ＥＬディスプレイ２０１は、一対のディスプレイパネル２０２，２０３と、シール材１０４とを備えている。そして、サブパネル２０３には、透明基板２０５の背面２０５ａにおいて、表示部１０７の一方側（図８で右側）に凹部２５１が設けられており、この凹部２５１に吸収材２５２が設けられている。この吸収材２５２は、酸素や湿気を吸収するものである。
【００１３】
これにより、この両面有機ＥＬディスプレイ２０１は、シール材１０４の劣化により、外部から酸素と湿気が密閉空間２０１Ｓに入っても、吸収剤２５２で吸収されるように構成されている。
【００１４】
また、図１０に示すような両面有機ＥＬディスプレイ３０１も提案されている（特許文献４参照）。この両面有機ＥＬディスプレイ３０１は、一対のディスプレイパネル３０２，３０３と、シール材１０４とを備えている。そして、双方の透明基板１０５、１０５の背面１０５ａ、１０５ａには、保護材３０６、３０７が、それぞれ表示部１０６、１０７を覆うように設けられている。そして、双方の保護材３０６、３０７の間には、前記吸収材２５２と同様の吸収材（図示せず）が設けられている。
【００１５】
これにより、この両面有機ＥＬディスプレイ３０１は、シール材１０４の劣化により、外部から酸素と湿気がディスプレイ３０１内に入っても、表示部１０６、１０７に接触せずに吸収材で吸収されるように構成されている。
【特許文献１】米国特許第６，２６８，６９５号公報
【特許文献２】米国特許第６，５７０，３２５号公報
【特許文献３】米国特許第６，８３５，９５０号公報
【特許文献４】米国公開２００４／００５６５８７号公報
【発明の開示】
【発明が解決しようとする課題】
【００１６】
しかしながら、従来の両面有機ＥＬディスプレイ２０１、３０１においては、以下の問題がある。
【００１７】
まず、図８および図９で示した両面有機ＥＬディスプレイ２０１においては、吸収材２５２が、表示部１０７の一方側のみ設けられている。このため、密閉空間２０１Ｓの他方側に酸素や湿気が入った場合には、表示部１０６、１０７に接触してしまう。したがって、この両面有機ＥＬディスプレイ２０１は、長期間使用しても、酸素や湿気による表示機能の低下を十分に防止できるとはいえなかった。
【００１８】
また、図１０で示した両面有機ＥＬディスプレイ３０１においては、保護材３０６、３０７が吸収材を介して接触している。このため、吸収材が酸素や湿気を吸収して膨張すると、双方の表示部１０６、１０７が、それぞれ基板１０５、１０５側に押されてしまう。したがって、この両面有機ＥＬディスプレイ３０１は、長期間使用しても、酸素や湿気による表示機能の低下を十分に防止できるとはいえなかった。
【００１９】
本発明は、かかる従来の課題に鑑みてなされたものであり、長期間使用しても、酸素や湿気による表示機能の低下を十分に防止できる両面有機ＥＬディスプレイを提供することを目的とする。
【課題を解決するための手段】
【００２０】
前記課題を解決するために、本発明の一方の両面有機ＥＬディスプレイでは、双方の背面が対向して配置された一対の透明基板と、対向する前記双方の背面の周縁部を接着させて、前記一対の透明基板とで密閉空間を形成するシール材とを有し、前記密閉空間には不活性ガスが封入されているとともに、前記一対の透明基板には、対向する前記双方の背面の中央部分に、有機ＥＬ素子が用いられた表示部がそれぞれ設けられ、さらに、対向する前記双方の背面の少なくとも一方側には、酸素や湿気を吸収する吸収材が、双方の表示部よりも外側で外周部を構成するように設けられたことを特徴としている。
【００２１】
また、本発明のもう一方の両面有機ＥＬディスプレイでは、双方の背面が対向して配置された一対の透明基板と、対向する前記双方の背面の周縁部を接着させて、前記一対の透明基板とで密閉空間を形成するシール材とを有し、前記密閉空間には不活性ガスが封入されているとともに、前記一対の透明基板には、対向する前記双方の背面の中央部分に、有機ＥＬ素子が用いられた表示部がそれぞれ設けられて、双方の表示部には、封止材がそれぞれ被覆されている一方、双方の封止材は、酸素や湿気を吸収するように構成されて、且つ、双方の封止材の間に隙間が開くように形成されたことを特徴としている。
【００２２】
さらに、この両面有機ＥＬディスプレイにおいては、前記双方の封止材の少なくとも一方は、対応する前記表示部を覆う保護層と、この保護層を覆う吸収層とを備え、この吸収層が酸素や湿気を吸収するように構成されたことを特徴としている。
【００２３】
また、本発明の双方の両面有機ＥＬディスプレイにおいては、前記吸収材、または、前記双方の封止材の少なくとも一方は、酸素や湿気の吸収能力を有する１Ａ族金属、２Ａ族金属、金属酸化物の少なくとも一つを用いて構成されたことを特徴としている。
【００２４】
したがって要約すると、本発明の一方の両面有機ＥＬディスプレイでは、二枚の透明基板上にそれぞれ設けられた二つの表示部を含む。この表示部には有機ＥＬ素子が用いられている。双方の透明基板は、それぞれ、表示部を取り囲む周辺域を有し、双方の透明基板とシール材とで表示部を取り囲んで完全に密封している。そして、少なくとも一方の透明基板上には、表示部とシール材との間の周辺域内に吸収材が設けられ、この吸収材が、有機ＥＬ素子にとって有害な酸素や湿気を吸収する。
【００２５】
また、本発明のもう一方の両面有機ＥＬディスプレイでは、双方の表示部が、膨張した吸収材の圧力を受けるのを防ぐために、表示部の間に隙間を設け、この隙間が吸収材の膨張を許容することを可能とする。
【発明の効果】
【００２６】
本発明の両面有機ＥＬディスプレイでは、吸収材を双方の表示部よりも外側に設けた。このため、長期間の使用に伴うシール材の劣化によって、シール材の周囲のあらゆる方向から酸素と湿気が密閉空間に入っても、双方の表示部の有機ＥＬ素子に接触せずに、吸収材で吸収される。よって、本発明の両面有機ＥＬディスプレイは、長期間使用しても、酸素や湿気による表示機能の低下を十分に防止できる。
【００２７】
また、本発明の両面有機ＥＬディスプレイでは、表示部を覆う双方の封止材の間に隙間を形成した。これにより、長期間の使用に伴うシール材の劣化により、双方の封止材が、ディスプレイ内に入った酸素や湿気を吸収して膨張しても、この隙間があることで接触しない、あるいは接触しても、双方の封止材を押し合う圧力が抑えられる。したがって、双方の表示部の有機ＥＬ素子が透明基板側に押されるおそれも少ない。よって、本発明のもう一方の両面有機ＥＬディスプレイは、長期間使用しても、酸素や湿気による表示機能の低下を十分に防止できる。
【発明を実施するための最良の形態】
【００２８】
以下、本発明の実施の形態を図にしたがって説明する。
【００２９】
第１の実施の形態：
図１は、本発明の第１の実施の形態を示す両面有機ＥＬディスプレイ１の模式縦断面図である。なお、この両面有機ＥＬディスプレイ１において、従来の両面有機ＥＬディスプレイ１０１（図７参照）と同じ部分には同じ符号を付し、異なる部分を中心にして説明する。本実施の形態の両面有機ＥＬディスプレイ１は、一対のディスプレイパネル２，１０３と、シール材１０４とを備えている。
【００３０】
双方のディスプレイパネル２，１０３は、背面を向き合わせて配置されている。そして、メインパネル２は、透明基板１０５と、表示部１０６と、吸収材２０とを備えている。表示部１０６は、透明基板１０５の背面１０５ａの中央部分に設けられている。これにより、透明基板１０５の背面１０５ａには、図２にも示すように、表示部１０６とシール材１０４との間に、環状領域１０５ｃが形成されている。
【００３１】
また、吸収材２０は、酸素や湿気を吸収するものである。この吸収材２０は、環状領域１０５ｃ全体にわたって設けられており、表示部１０６を囲むように環状に形成されている。これにより、吸収材２０は、双方の表示部１０６、１０７よりも外側で外周部を構成している。
【００３２】
なお、この吸収材２０には、酸素や湿気の吸収能力を有する１Ａ族金属、２Ａ族金属、金属酸化物等を使用することが好ましい。具体的な吸収材２０としては、カルシウム、バリウム、ストロンチウム、酸化カルシウム、酸化バリウム、酸化ストロンチウム等が挙げられる。
【００３３】
また、この吸収材２０は、真空蒸着法、物理蒸着法（ＰＶＤ）、化学蒸着法（ＣＶＤ）、プラズマ化学蒸着法（ＰＥＣＶＤ）、スクリーン印刷法、スピンコーティング法等を用いて透明基板１０５の背面１０５ａに形成することが好ましい。また、シール材１０４は、紫外線硬化性のもの、熱硬化性のもの等を用いることが好ましい。
【００３４】
また、ディスプレイ１内には、双方の透明基板１０５、１０５とシール材１０４とにより密閉空間１Ｓが形成されている。この密閉空間１Ｓには不活性ガスが封入されている。したがって、双方の表示部１０６、１０７と吸収材２０は、この不活性ガスで満たされた密閉空間１Ｓに設置された状態になっている。
【００３５】
かかる構成においては、吸収材２０が双方の表示部１０６、１０７よりも外側にある。このことから、長期間の使用に伴いシール材１０４が劣化して、シール材１０４の周囲のあらゆる方向から酸素と湿気が密閉空間１Ｓに入っても、これらの酸素と湿気は、双方の表示部１０６、１０７の有機ＥＬ素子に接触せずに、吸収材２０で吸収される。よって、本実施の形態の両面有機ＥＬディスプレイ１は、長期間使用しても、酸素や湿気による表示機能の低下を十分に防止できる。
【００３６】
また、この両面有機ＥＬディスプレイ１においては、一方のディスプレイパネル２側のみに環状の吸収材２０を設けて、表示機能の低下を十分に防止できるようにした。したがって、この両面有機ＥＬディスプレイ１は、製造に際して吸収材２０の形成にかかる作業コストが抑えらるので、製造コストを抑えることもできる。
【００３７】
第２の実施の形態：
図３は、本発明の第２の実施の形態を示す両面有機ＥＬディスプレイ１１の模式縦断面図である。なお、この両面有機ＥＬディスプレイ１１において、従来の両面有機ＥＬディスプレイ１０１（図７参照）や、第１の実施の形態の両面有機ＥＬディスプレイ１と同じ部分には同じ符号を付し、異なる部分を中心にして説明する。本実施の形態の両面有機ＥＬディスプレイ１は、一対のディスプレイパネル１２，１３と、シール材１０４とを備えている。
【００３８】
双方のディスプレイパネル１２，１３は、背面を向き合わせて配置されている。そして、メインパネル１２は、透明基板１０５と、表示部１０６と、吸収材１２０とを備えている。この吸収材１２０は、透明基板１０５の背面１０５ａの環状領域１０５ｃの一方側（図３で右側）に設けられている。そして、この吸収材１２０は、表示部１０６の外周部の一部を構成するように形成されている。
【００３９】
また、サブパネル１３は、透明基板１０５と、表示部１０７と、吸収材１３０とを備えている。透明基板１０５の背面１０５ａには、表示部１０７とシール材１０４との間に、環状領域１０５ｄが形成されている。この環状領域１０５ｄは、メインパネル１２の環状領域１０５ｃよりも幅広く形成されている。
【００４０】
また、吸収材１３０は、酸素や湿気を吸収するものである。この吸収材１３０は、環状領域１０５ｄの他方側（図３で左側）において、メインパネル１２の表示部１０６よりも外側に設けられている。そして、この吸収材１３０は、表示部１０７の外周部の一部を構成するとともに、メインパネル１２に設けられた吸収材１２０とで、双方の表示部１０６、１０７よりも外側で外周部を構成するように形成されている。
【００４１】
なお、双方の吸収材１２０、１３０は、第１の実施の形態で説明した吸収材２０と同様の材料を用いて形成されても良い。さらに、吸収材１２０、１３０の形成方法は、第１の実施の形態で説明した吸収材２０の形成方法と同様でも良い。
【００４２】
また、ディスプレイ１１内には、双方の透明基板１０５、１０５とシール材１０４とにより密閉空間１１Ｓが形成されている。この密閉空間１１Ｓには、不活性ガスが封入されている。したがって、双方の表示部１０６、１０７と、双方の吸収材１２０、１３０は、この不活性ガスで満たされた密閉空間１１Ｓに設置された状態になっている。
【００４３】
かかる構成においては、吸収材１２０、１３０が、双方の表示部１０６、１０７よりも外側にある。このことから、長期間の使用に伴うシール材１０４の劣化によって、シール材１０４の周囲のあらゆる方向から酸素と湿気が密閉空間１１Ｓに入っても、これらの酸素と湿気は、双方の表示部１０６、１０７の有機ＥＬ素子に接触せずに、吸収材１２０、１３０で吸収される。よって、本実施の形態の両面有機ＥＬディスプレイ１１は、長期間使用しても、酸素や湿気による表示機能の低下を十分に防止できる。
【００４４】
第３の実施の形態：
図４は、本発明の第３の実施の形態を示す両面有機ＥＬディスプレイ３１の模式縦断面図である。なお、この両面有機ＥＬディスプレイ３１において、従来の両面有機ＥＬディスプレイ１０１（図７参照）、前述した各実施の形態の両面有機ＥＬディスプレイ１（図１参照）、１１（図３参照）と同じ部分には同じ符号を付し、異なる部分を中心にして説明する。本実施の形態の両面有機ＥＬディスプレイ３１は、一対のディスプレイパネル２，３３と、シール材１０４とを備えている。
【００４５】
双方のディスプレイパネル２，３３は、背面を向き合わせて配置されている。そして、サブパネル３３は、透明基板１０５と、表示部１０７と、吸収材３３０とを備えている。この吸収材３３０は、メインパネル２に設けられた吸収材２０と同様に、酸素や湿気を吸収するものである。そして、この吸収材３３０は、透明基板１０５の背面１０５ａに形成されている環状領域１０５ｄに、前記吸収材２０と対向して設けられている。
【００４６】
具体的に説明すると、この吸収材３３０は、環状領域１０５ｄにおいてメインパネル２の表示部１０６よりも外側に設けられている。そして、この吸収材３３０は、表示部１０７を囲むように環状に形成されている。これにより、双方の吸収材２０、３３０は、双方の表示部１０６、１０７よりも外側で外周部を構成している。なお、吸収材３３０は、吸収材２０と同様の材料を用いて形成されても良い。さらに、吸収材３３０の形成方法は、吸収材２０の形成方法と同様でも良い。
【００４７】
また、ディスプレイ３１内には、双方の透明基板１０５、１０５とシール材１０４とにより密閉空間３１Ｓが形成されている。この密閉空間３１Ｓには、不活性ガスが封入されている。したがって、双方の表示部１０６、１０７と、双方の吸収材２０、３３０は、この不活性ガスで満たされた密閉空間３１Ｓに設置された状態になっている。
【００４８】
かかる構成においては、双方の吸収材２０、３３０が、双方の表示部１０６、１０７よりも外側にある。このことから、長期間の使用に伴うシール材１０４の劣化によって、シール材１０４の周囲のあらゆる方向から酸素と湿気が密閉空間３１Ｓに入っても、これらの酸素と湿気は、表示部１０６、１０７の有機ＥＬ素子に接触せずに、吸収材２０、３３０で吸収される。よって、本実施の形態の両面有機ＥＬディスプレイ３１は、長期間使用しても、酸素や湿気による表示機能の低下を十分に防止できる。
【００４９】
また、本実施の形態の両面有機ＥＬディスプレイ３１は、双方の透明基板１０５、１０５に、それぞれ環状の吸収材２０、３３０が設けられている。このことから、この両面有機ＥＬディスプレイ３１は、前述した両面有機ＥＬディスプレイ１、１１に比べて吸収材の設置範囲が広いので、酸素や湿気の吸収能力が高い。よって、この両面有機ＥＬディスプレイ３１は、前述した両面有機ＥＬディスプレイ１、１１に比べて、酸素と湿気による表示機能の低下防止力を高めることができる。
【００５０】
なお、第１の実施の形態〜第３の実施の形態で説明した両面有機Ｅｌディスプレイ１、１１、３１においては、表示部１０６、１０７に用いられる有機ＥＬ素子の組み合わせは特に限定されない。具体的な組み合わせとしては、表示部１０６、１０７に用いられる有機ＥＬ素子が低分子系のみの場合、または、高分子系のみの場合が挙げられる。その他の組み合わせとしては、表示部１０６、１０７の一方に用いられる有機ＥＬ素子が低分子系であって、表示部１０６、１０７の他方に用いられる有機ＥＬ素子が高分子系の場合が挙げられる。
【００５１】
第４の実施の形態：
図５は、本発明の第４の実施の形態を示す両面有機ＥＬディスプレイ４１の模式縦断面図である。なお、この両面有機ＥＬディスプレイ４１において、従来の両面有機ＥＬディスプレイ１０１（図７参照）と同じ部分には同じ符号を付し、異なる部分を中心にして説明する。この両面有機ＥＬディスプレイ４１は、一対のディスプレイパネル４１１，４１１と、シール材１０４とを備えている。
【００５２】
双方のディスプレイパネル４１１，４１１は、それぞれ、透明基板１０５と、表示部４１２と、封止材４１３とを備えている。双方の表示部４１２、４１２は、それぞれ、透明基板１０５の背面１０５ａの中央部分に設けられており、表示素子として有機ＥＬ素子が用いられている。
【００５３】
また、双方の封止材４１３、４１３は、封止材４１３、４１３の間に隙間４１Ｇが開くように、それぞれ表示部４１２を覆って形成されている。また、双方の封止材４１３、４１３は、それぞれ図６に示すように積層構造を有しており、表示部４１２側から順に、第１平滑層４１３ａと、第１保護層４１３ｂと、吸収層４１３ｃと、第２平滑層４１３ｄと、第２保護層４１３ｅとを備えている。
【００５４】
なお、このような積層構造を有する封止材４１３の形成方法としては、化学蒸着法（ＣＶＤ）、プラズマ化学蒸着法（ＰＥＣＶＤ）、物理蒸着法（ＰＶＤ）等、周知の蒸着法が挙げられる。
【００５５】
また、第１平滑層４１３ａと第１保護層４１３ｂの積層順序は逆でも良い。さらに、第２平滑層４１３ｄと第２保護層４１３ｅの積層順序は逆でも良い。また、平滑層４１３ａ、４１３ｄや保護層４１３ｂ、４１３ｅには、１層あるいは２層以上の有機材料あるいは無機材料から構成されていても良い。
【００５６】
具体的に、平滑層４１３ａ、４１３ｄや保護層４１３ｂ、４１３ｅに適する材料としては、二酸化ケイ素、窒化ケイ素、酸窒化ケイ素、炭化ケイ素、金属化合物、有機化合物、金属有機化合物及び、高分子化合物（例えば、ポリ塩化ビニル、アクリル、テフロン（登録商標）様高分子等）が挙げられる。有機材料は層の応力を適度に放出し、且つ各層間の界面に拡散を生ずるのを防ぐことができる。
【００５７】
また、吸収層４１３ｃに適する材料は、酸素や湿気の吸収能力を有する１Ａ族金属、２Ａ族金属、及び金属酸化物が好ましい。具体的な物質としては、例えば、カルシウム、バリウム、ストロンチウム、酸化カルシウム、酸化バリウム、酸化ストロンチウム等が挙げられる。
【００５８】
また、ディスプレイ４１内には、双方の透明基板１０５、１０５とシール材１０４とにより密閉空間４１Ｓが形成されている。前記隙間４１Ｇは、この密閉空間４１Ｓの一部を構成している。そして、この密閉空間４１Ｓには不活性ガスが封入されている。したがって、双方の表示部４１２、４１２と、双方の封止材４１３、４１３は、この不活性ガスで満たされた密閉空間４１Ｓに設置された状態になっている。
【００５９】
かかる構成において、長期間の使用に伴いシール材１０４が劣化すると、外部から酸素や湿気がシール材１０４を通過して密閉空間４１Ｓに入る。密閉空間４１Ｓに入った酸素や湿気は、封止材４１３、４１３によって吸収される。ここで、双方の封止材４１３、４１３の間には、予め隙間４１Ｇが形成されていることから、酸素や湿気を吸収した封止材４１３、４１３が膨張しても接触しない。あるいは、封止材４１３、４１３が接触しても、封止材４１３、４１３が押し合う圧力を抑えることができる。これにより、表示部４１２、４１２が、それぞれ基板１０５側に押されるおそれも少ない。よって、本実施の形態の両面有機ＥＬディスプレイ４１は、長期間使用しても、酸素や湿気による表示機能の低下を十分に防止できる。
【００６０】
なお、本実施の形態では、表示部４１２、４１２に用いられる有機ＥＬ素子の組み合わせは、特に限定されない。具体的な組み合わせとしては、表示部４１２、４１２に用いられる有機ＥＬ素子が低分子系のみの場合、高分子系のみの場合が挙げられる。その他の組み合わせとしては、表示部４１２、４１２の一方に用いられる有機ＥＬ素子が低分子系であって、表示部４１２、４１２の他方に用いられる有機ＥＬ素子が高分子系の場合が挙げられる。
【００６１】
以上のように、本発明の好ましい実施の形態を開示したが、これは本発明を限定するものではなく、当業者によれば、本発明の精神と範囲を逸脱しない限りにおいて変更および修飾を施すことができる。よって、本発明の保護範囲は、特許請求の範囲で定義されたものが基準とされる。
【産業上の利用可能性】
【００６２】
以上説明したように、本発明の両面有機ＥＬディスプレイは、長期間使用しても、酸素や湿気による表示機能の低下を十分に防止できるので、両面有機ＥＬディスプレイの技術分野で十分使用することができる。
【図面の簡単な説明】
【００６３】
【図１】本発明の第１の実施の形態を示す両面有機ＥＬディスプレイの模式縦断面図である。
【図２】同実施の形態を示す両面有機ＥＬディスプレイの模式横断面図である。
【図３】本発明の第２の実施の形態を示す両面有機ＥＬディスプレイの模式縦断面図である。
【図４】本発明の第３の実施の形態を示す両面有機ＥＬディスプレイの模式縦断面図である。
【図５】本発明の第４の実施の形態を示す両面有機ＥＬディスプレイの模式縦断面図である。
【図６】図５のＡ部の拡大図である。
【図７】従来の両面有機ＥＬディスプレイの模式縦断面図である。
【図８】別の従来の両面有機ＥＬディスプレイの模式縦断面図である。
【図９】図８の両面有機ＥＬディスプレイの模式横断面図である。
【図１０】別の従来の両面有機ＥＬディスプレイの模式縦断面図である。
【符号の説明】
【００６４】
１    両面有機ＥＬディスプレイ
１Ｓ    密閉空間
１１    両面有機ＥＬディスプレイ
１１Ｓ    密閉空間
２０    吸収材
３１    両面有機ＥＬディスプレイ
３１Ｓ    密閉空間
４１    両面有機ＥＬディスプレイ
４１Ｓ    密閉空間
４１Ｇ    隙間
１０４    シール材
１０５    透明基板
１０５ａ    背面
１０５ｂ    周縁部
１０６    表示部
１０７    表示部
１２０    吸収材
１３０    吸収材
３３０    吸収材
４１２    表示部
４１３    封止材
４１３ｂ    第１保護層
４１３ｃ    吸収層
【図１】
2007157687.tif 000003
【図２】
2007157687.tif 000004
【図３】
2007157687.tif 000005
【図４】
2007157687.tif 000006
【図５】
2007157687.tif 000007
【図６】
2007157687.tif 000008
【図７】
2007157687.tif 000009
【図８】
2007157687.tif 000010
【図９】
2007157687.tif 000011
【図１０】
2007157687.tif 000012